【手続補正書】
【提出日】令和2年7月17日(2020.7.17)
【手続補正１】
【補正対象書類名】明細書
【補正対象項目名】０００３
【補正方法】変更
【補正の内容】
【０００３】  従来のブラシはブラシ材２の端部を柄に接着し固定して使用するが、固定部が大きく入り口が狭い場所に入らないことが有る。そのうえ、ブラシ材２がざらついた物が無く、髪の毛、ゴミがからみ取りずらく、入り口付近に傷を付けたり、奥にブラシ材２が届かず洗浄出来ない欠点があった。
【手続補正２】
【補正対象書類名】明細書
【補正対象項目名】０００６
【補正方法】変更
【補正の内容】
【０００６】  問題点は、入り口が狭く奥が深い所に届くブラシであり、ブラシ材２の長さ、穂先の形状を自由に変えられたり、平たく幅を変えて出せ、汚れを落とし髪の毛等を絡み取れるブラシが無かった。
【手続補正３】
【補正対象書類名】明細書
【補正対象項目名】００１１
【補正方法】変更
【補正の内容】
【００１１】  本発明は、筒状１の中空内に削りざらつきの有るブラシ材２を入れ、両端部から出し入れ出来、左右どちらかに移動し、掃除する場所の形状に穂先を変え深さに合わせることができ、ブラシ材２が棒状にまとまり出てきて、長さを調整することが出来る。
【手続補正４】
【補正対象書類名】明細書
【補正対象項目名】００１２
【補正方法】変更
【補正の内容】
【００１２】  次に、筒状１の途中の両面又は片面を切り取り外径より小さく弾力性が有る物４で両端部先まで覆い、切り取り部から露出しているブラシ材２を把持し、押さえた時にブラシ材２に力が伝わり安くし、そのうえ、握った時に保護部４で滑りずらく固定しやすくした。
【手続補正５】
【補正対象書類名】明細書
【補正対象項目名】００１４
【補正方法】変更
【補正の内容】
【００１４】  ほうき状ブラシは、棒状にまとまり出るので狭い所に入りやすく、ゴミも絡み付きブラシ材２の長さも調整でき掃除する場所の材質、汚れと用途に応じてブラシ材２をステンレス針金、真鍮針金、塩化ビニール合成樹脂、竹その他と一本もしくは全体が入れ替えることが出来る。ブラシ材２は中央から半分ずつ違う材質でも良く形状、長さ、太さの材質は限定しない。ブラシ材２は他の材質と混合にしても良い。
【手続補正６】
【補正対象書類名】明細書
【補正対象項目名】００１５
【補正方法】変更
【補正の内容】
【００１５】  ブラシ材２を引っ込め筒状１の端部の内側に付属部品の図７の棒８を差し込み棒の先に布を巻き付け、狭い隙間などの拭き掃除に使え、平たく小判形に潰し広げた物、図８の１０を付け変えればブラシ材２を引き出す長さにより幅広く変化させ出すことが出来る。
【手続補正７】
【補正対象書類名】明細書
【補正対象項目名】００１７
【補正方法】変更
【補正の内容】
【００１７】  本発明は、サッシ引き戸を閉めた時の重なり合った場所の掃除も、引き戸を取り外すことなく洗浄でき、サッシコーナー奥の狭い溝も洗浄でき、ゴミも絡み付き取れる。図４のＨから出るブラシ材２は幅広く出せるので色々なレール幅に対応でき、細いブラシ材２だと洗剤の吸い上げが良い。固定部５を備えると、なおさら作業効率が良い。
筒状１にカバー４で保護してあるので相手側に傷を付けることが無く掃除が出来る。
【手続補正８】
【補正対象書類名】明細書
【補正対象項目名】００２０
【補正方法】変更
【補正の内容】
【００２０】
【図１】  本発明のほうき状ブラシの筒状１にブラシ材２を挿入した側面図
【図２】  図１のＡ−Ａ線断面図
【図３】  図２のＢ−Ｂ線断面図
【図４】  ブラシ材２の出口Ｇ部分付近に曲がりを付けＨ部を平たく小判形に潰し広げ、筒状１の保護部４を切り取り、スライド部で固定部５を備えブラシ材２を挿入した側面図
【図５】  筒状１の片側にスライド部で固定部５を備え４部（Ｃ）が切り取りが有りブラシ材２を挿入した断面図
【図６】  穂先形状部を変えた（ａ）図Ｅが太めで削りざらつき有り、（ｂ）図Ｆは削りなおさら細めで、ざらつきが有る側面図
【図７】  （ａ）図は筒状１の先端に付属部品の８の７部を筒状１の６部に差し込んだ側面図、（ｂ）図はブラシ材２が角度を変えて出てきて４で端部の先まで保護されている９の側面図
【図８】  （ａ）図はブラシ材２が広がって出てきて４で端部の先まで保護されている１０の側面図、（ｂ）図は（ａ）図の上面図
【手続補正９】
【補正対象書類名】明細書
【補正対象項目名】００２３
【補正方法】変更
【補正の内容】
【００２３】  図１、図２に示すように本実施形態の筒状１の中空内にブラシ材２を一本ずつ入れ、左右どちらかにブラシ材２を移動し端部の先から引き出し使う。穂先の形状、長さを調整することが出来、ブラシ材２の引き出す長さにより穂先の硬さも変えられ、筒状１の外側の端部の先までカバー４で覆い保護してあり、両側でブラシとして使えるほうき状ブラシ。
【手続補正１０】
【補正対象書類名】明細書
【補正対象項目名】００２４
【補正方法】変更
【補正の内容】
【００２４】  筒状１の材質は、アルミニウム、真鍮、ステンレス、鉄、ポリプロピレン、ポリエチレン、ポリエステル、塩化ビニール合成樹脂等を使い中空内にブラシ材２を入れる。筒状１の材質、形状、長さ、太さに限定しない。
【手続補正１１】
【補正対象書類名】明細書
【補正対象項目名】００２６
【補正方法】変更
【補正の内容】
【００２６】  図３に示す本実施形態の筒状１  の途中の両面又は片面のＣ部を切り取り筒状１にカバー４で両端部の先まで覆い保護し、滑り止めでも有る。Ｃ部で露出したブラシ材２を把持し押さえた時にブラシ材２全体に力が伝わり安く固定しやすくした。カバー４は筒状１の外径より小さい物が良く材質はポリプロピレン、天然ゴムその他弾力性が有る材質が好ましい。
【手続補正１２】
【補正対象書類名】明細書
【補正対象項目名】００２８
【補正方法】変更
【補正の内容】
【００２８】  図４に示すように、筒状１の途中Ｇ部に角度を付けて掃除をしやすくした。例えば  ユニットバスのドアの通気口は垂直な側面に有るので、ブラシ材２が入りやすくなり持つ手が側面にぶつからず掃除が出来る。次に、筒状１の片側を切り取りブラシ材２の固定部５を備え、カバー４で両端部の先まで覆われている。スライド部で固定部５のカバー４は切り取られている。Ｈ部を平たく小判形に潰し広げ、ブラシ材２の引き出す長さにより幅広くなったり狭くもなる。筒状１の途中の曲げ角度、端部の形状に限定されるものではない。
【手続補正１３】
【補正対象書類名】明細書
【補正対象項目名】００２９
【補正方法】変更
【補正の内容】
【００２９】  図５に示すように、筒状１の片側を切り取りブラシ材２のスライド部で固定部５を備え、スライド部で固定部５のカバー４が切り取られている。突起部Ｄを左右どちらかに移動し、ブラシ材２を固定することによりブラシ材２がずれることなく、掃除が出来る。固定する方法は限定されるものではない。
【手続補正１４】
【補正対象書類名】明細書
【補正対象項目名】００３３
【補正方法】変更
【補正の内容】
【００３３】  １    筒
２    ざらつきが有るブラシ材
１の３  筒状１の切り取り後の残り部
Ｃ    両面又は片面の切り取り部でブラシ材２の露出部で押さえ部
４    弾力性が有り筒外側の保護カバー
Ｅ    穂先の形状が太くざらつき有り
Ｆ    穂先の形状が細くざらつき有り
Ｇ    筒状１の曲がり部分
Ｈ    平たく小判形に潰し広げた部分
５    スライド部で固定部と保護カバーの切り取り部
Ｄ    スライド部の突起部
１の６  付属部品の差し込み受け部
７    付属部品の差し込み部
８    付属部品の棒
９    ブラシ材２が角度を変えて出てくる付属部品で保護カバー付き
１０  ブラシ材２を平たく出せる付属部品で保護カバー付き
【手続補正１５】
【補正対象書類名】特許請求の範囲
【補正対象項目名】全文
【補正方法】変更
【補正の内容】
【特許請求の範囲】
【請求項１】
掃除用具で入口が狭く奥が深い場所に使うブラシであって、筒状（１）と、この本体（１）の中空内にブラシ材（２）と、前記筒状（１）の途中に、ブラシ材（２）の押さえ部（Ｃ）を備え、筒状（１）に保護材（４）を設けたことを特徴とするほうき状ブラシ。
【請求項２】
前記筒状（１）の途中（Ｇ）部に曲がりを設け、端部（Ｈ）部を平たく広げたことを特徴とする請求項１記載のほうき状ブラシ。
【請求項３】
前記筒状（１）の片側（Ｃ）部にブラシ材（２）の固定部（５）を備えたことを特徴とする請求項１又は請求項２記載のほうき状ブラシ。
【請求項４】
前記筒状（１）の端部（１の６）に付属部品で、ブラシ材（２）が角度を変えててくる（９）、ブラシ材（２）が平たく出てくる（１０）が着脱可能に出来ることを特徴とする請求項１記載のほうき状ブラシ。
【手続補正１６】
【補正対象書類名】図面
【補正対象項目名】図１
【補正方法】変更
【補正の内容】
【図１】
2020163087.tif 000001
【手続補正１７】
【補正対象書類名】図面
【補正対象項目名】図４
【補正方法】変更
【補正の内容】
【図４】
2020163087.tif 000002
【手続補正１８】
【補正対象書類名】図面
【補正対象項目名】図７
【補正方法】変更
【補正の内容】
【図７】
2020163087.tif 000003